(57)【要約】【課題】  背景技術の骨壺には表示部位が存在せず、該骨壷を収納する木製（多くが桐材）骨箱に故人の面影を表現して表示する表示部位を備えたと仮定しても係る木材の耐用年数は短いので、故人の遺影を永久に保存する事が困難です。【解決手段】本提案は、故人の遺品を収納する容器が、遺品を納めて保存する機能の備えられた収納部位と該収納部位に具備され且つ故人の面影を表現して表示する機能の備えられた表示部位から構成され、好ましくは表示部位が収納部位に対して着脱自在の構成である遺品容器です。【選択図】選択図なし【特許請求の範囲】
【請求項１】
故人の遺品を収納する容器が、遺品を納めて保存する機能の備えられた収納部位と該収納部位に具備され且つ故人の面影を表現して表示する機能の備えられた表示部位から構成されている遺品容器。
【請求項２】
表示部位が、収納部位の複数箇所に具備されている構成である請求項１記載の遺品容器。
【請求項３】
表示部位が、収納部位に対して着脱自在の構成である請求項１および２記載の遺品容器。
【請求項４】
故人を偲ぶ面影が、遺品容器の表示部位および該表示部位以外の関係者の住いに備える第二表示部位に共に表現されて表示する構成である請求項１から３記載の遺品容器。
【請求項５】
収納部位が、壺様形状である請求項１から４記載の遺品容器。
【請求項６】
表示部位が、故人の面影を焼き物で表現して表示する構成である請求項１から５記載の遺品容器。
【請求項７】
収納部位と表示部位が、夫々の独立した別体から成り且つ両者を連接手段で結合した遺品容器に構成されている請求項１から６記載の遺品容器。
【請求項８】
遺品容器が、さらに外包容器に収納される構成である請求項１から７記載の遺品容器。
【請求項９】
存命中に収納部位を先行して販売し、故人となってから後行して表示部位を販売する請求項３から８記載の遺品容器の販売法。
【発明の詳細な説明】
【技術分野】
【０００１】本発明は、故人の遺品（火葬された遺骨など）を納めてお墓に埋葬する際に用いる遺品容器およびその販売法に関する提案です。
【背景技術】
【０００２】背景技術の骨壷は、遺骨などの遺品を納めて永久に保存する機能の備えられた収納部位から成る容器であって、故人の面影を表現して表示する機能の備えられた表示部位が存在しません。仮に該骨壷を収納する骨箱に前記同様機能の表示部位を備えたと仮定しても木製（多くが桐材）であることからその耐用年数は短く、故人の遺影を永久に保存する事が困難です。更に、お墓の墓碑にも係る機能は全く有りません。【０００３】付言するに、生活様式の変化から生み出された手元供養の為に市販されているオブジェの類は、供養の仕方が背景技術の骨壷とは相違する文化です。即ち、お墓に埋葬するか否かの点および骨箱の有無の点において全く異なる発想の技術です。
【発明の開示】
【発明が解決しようとする課題】
【０００４】本提案は、故人を偲ぶ遺影・形見など（以下面影）に対する新しい文化の創造です。即ち、耐久性のある（遺骨を納める）収納部位に着目し、該収納部位に故人を偲ぶ面影を表示する表示部位を備える工夫を成す提案です。この工夫によれば、永久に遺骨が保存できると同様に、故人の面影も永久に保存できる特徴が得られます。
【課題を解決するための手段】
【０００５】係る課題を解決する為に、請求項１記載の発明は、故人の遺品を収納する容器が、遺品を納めて保存する機能の備えられた収納部位と該収納部位に具備され且つ故人の面影を表現して表示する機能の備えられた表示部位から構成されている遺品容器。請求項２記載の発明は、】表示部位が、収納部位の複数箇所に具備されている構成である請求項１記載の遺品容器。請求項３記載の発明は、表示部位が収納部位に対して着脱自在の構成である請求項１および２記載の遺品容器。請求項４記載の発明は、故人を偲ぶ面影が遺品容器の表示部位および該表示部位以外の関係者の住いに備える第二表示部位に共に表現されて表示する構成である請求項１から３記載の遺品容器。請求項５記載の発明は、収納部位が壺様形状である請求項１から４記載の遺品容器。請求項６記載の発明は、表示部位が故人の面影を焼き物で表現して表示する構成である請求項１から５記載の遺品容器。請求項７記載の発明は、収納部位と表示部位が、夫々の独立した別体から成り且つ両者を連接手段で結合した遺品容器に構成されている請求項１から６記載の遺品容器。請求項８記載の発明は、遺品容器がさらに外包容器に収納される構成である請求項１から７記載の遺品容器。請求項９記載の発明は、存命中に収納部位を先行して販売し、故人となってから後行して表示部位を販売する請求項３から８記載の遺品容器の販売法。
【発明の効果】
【０００６】遺族の立場においては、故人の面影を（特に遺影を）遺骨同様に永久保存できる点で優れています。しかも、遺骨と面影が同居しながら永久に保存可能である著効を奏します。更に、ご先祖が、お墓の保管庫に多数居られてもその面影の相違から明瞭に判別し得る著効を奏します。【０００７】故人の立場においては、存命中は、工芸品又は芸術品としての美術的機能を発揮し、部屋の装飾に寄与する著効を奏します。更に、日常生活では、神棚および仏壇同様に手元供養が可能です。そして、同様の手元供養が遺族によって死後も引き継がれることへの期待感は、当人の心の癒しに頗る良好に作用する著効を奏する点で注目できます。【０００８】関係者の立場においては、故人の面影が置物などの有形表現状態で身近にそして互いに寄添って居られることから感じる安堵感および満足感をも得られる著効を奏します。【０００９】加えて、本発明の販売法は、自己好みの収納部位を先行して事前入手することから存命中でも充分にこれの鑑賞を堪能することが可能です。さらに、表示部位は、後行して事後入手するので故人の直近遺影を最適に用いることが出来る利点があります。
【発明を実施するための最良の形態】
【００１０】提案の根本は、故人の遺骨同様に、故人を偲ぶ面影も永久に保存したいとの遺族願望を叶える要求からの発想です。従って、遺影（特に顔写真）を客間・仏間などへ飾って故人を偲ぶ背景技術の供養の仕方から離れ、該供養の仕方を変えること無しに、これに加えて故人の面影も永久に保存可能となる提案です。具体的には、天災などによる家屋の消失で故人の面影も同時に消失していた背景技術の供養法と相違し、お墓の保管庫で永久に故人の面影が保存されます。勿論のことですが、本提案は、係る発明思想を共通にする故人を偲ぶ新しい文化の創造です。
【実施例１】
【００１１】そこで、本実施例に於いては、故人の遺品を収納する容器が、遺品を納めて保存する機能の備えられた収納部位と該収納部位に具備され且つ故人の面影を表現して表示する機能の備えられた表示部位から構成されています。【００１２】この遺品容器は、背景技術の骨壷では全く得られなかった以下の優れた作用を奏します。即ち、表示部位を有効活用することで、故人の面影を例えば、遺影（顔写真など）を彩色で表現して表示する、又は故人自筆の詩文又は絵画を平面的に或は凹凸のふくらみをもたせ複写表現して（遺影と共に）表示する、又は故人遺品の手芸品を立体的な類似形に或は模型的技法で成形を施し複製表現して（遺影と共に）表示する、又は故人を偲ぶ電子記録手段（ＭＤ、ＣＦカード等々による音声および／又は映像など）を合成樹脂などで美的に包装し（遺影と共に）表示する、又は故人の面影に光沢を付加し或は各種メッキなどの被覆を付加した表現となして（遺影と共に）表示する等々が可能であり、背景技術では得ることの出来なかった表現および表示の飛躍的な内容拡大が期待できます。【００１３】或は、収納部位を有効活用することで、夫の遺品が納められた容器（例えば骨壺）および妻の遺品が納められた容器（同様骨壺）を共に収納する夫婦収納部位に構成することが可能です。更に、収納部位に区切りを設けその一方に親の遺品を納め他方に子の遺品を納める親子収納部位に構成することも可能です。また更に、母親の遺品が納められた容器の隣に水子の遺品が納められた小型容器を付設した水子収納部位に構成することも可能です。なお、説明を省くが、表示部位を収納部位の内部に備えことも可能です。【００１４】なお、存命中においては、事前購入しておいた遺品容器を或は自分趣向の自製作または他製作遺品容器を部屋の装飾に活用し、工芸品又は芸術品としての美術的機能を発揮さることも可能です。この場合、背景技術の骨壷の形状に拘束されること無しに自由な好みの形状を（美的に）創造することが可能です。さらに、日常生活でも神棚および仏壇同様に手元供養が可能となり、併せて同様の手元供養が遺族によって死後も引き継がれることへの期待感も重なり、当人の心の癒しに頗る良好に作用する著効を奏する点で特に注目できます。【００１５】さらに、表示部位が、収納部位の複数箇所に具備されている構成である場合は、一方に遺影を他方に自筆の詩文その他を表示することが可能になります。【００１６】加えて、表示部位が収納部位に対して着脱自在の構成である場合は、存命中にける故人の面影を先行して表示することなしに、故人となってから後行して直近の面影を最適に表示することが出来る利点が有ります。
【実施例２】
【００１７】故人を偲ぶ面影が遺品容器の表示部位および該表示部位以外の関係者の住いに備える第二表示部位に共に表現されて表示する構成である場合は、遺族の客間・仏間に或は関係者の身辺に故人の遺影などが拡大表現され且つ額付で同様表示することも可能になります。
【実施例３】
【００１８】収納部位が壺様形状である場合は、従来の市販骨箱を流用することが可能になる利点があります。そして、表示部位が故人の面影を焼き物で表現して表示する構成である場合は、収納部位が焼き物で有る場合同様に彩色の色変化が継時的に発生せず、また伝統工芸職人の作品（例えば国内では有田焼など、海外であれば景徳鎮焼など）を入手することが可能になります。【００１９】或は、焼き物以外の金属製（例えば銅版製又はアルミ版製或は鋳物製）又は非金属製（例えば各種の樹脂製或はガラス製）の表示部位である場合も有名芸術家に製作依頼することが可能になります。
【実施例４】
【００２０】収納部位と表示部位が夫々の独立した別体から成り且つ両者を連接手段で結合した遺品容器に構成されている場合は、遺品が複雑な立体形状であっても実施が可能です。即ち、手芸品などの遺品を複製表現する時には特に好ましい実施例です。当然ながら実施例１同様の遺影表示部位を備える収納部位が連接手段（例えば共通台座）で前記表示部位と共に結合されている実施例であってもよい。本発明の連接手段とは、収納部位と表示部位の両者を結合する（分離可能構造で結合するも含む）機能が具備された手段であって、前記共通台座の構造或は連結棒様の構造等々に限定される構成を意味するものでは有りません。【００２１】さらに、立体形状の手芸品を複製表現する際における他の表示部位の実施例としては、縮小複製した別体の表示部位と成して置物風又は装身具風（ペンダント風、カメオ風、タイピン風）等々に製作することも可能です。この縮小複製した表示部位（複写した平面形状の遺影などの表示部位でも同様）は、関係者に非常に歓迎され期待されます。即ち、故人の面影が置物などの有形表現状態で身近に且つ互いに寄添って居られることから感じる安堵感および満足感をも得られる著効を奏するからです。
【実施例５】
【００２２】遺品容器がさらに外包容器に収納される構成である場合は、該遺品容器の保護対策面および運搬対策面並びに商品識別面等々からも好ましい実施例です。
【実施例６】
【００２３】前記の各種遺品容器を販売するに当っては、存命中に収納部位を先行して販売し、故人となってから後行して表示部位を販売する販売法の採用が可能になります。この販売法は、自己好みの収納部位を先行して事前入手することが出来るから存命中でも充分にこれの鑑賞を堪能することが可能です。さらに、表示部位は、後行して事後入手することが望ましいから故人の直近遺影を最適に用いて表現することが可能となる利点があります。係る両著効は、背景技術の骨壷では全く得られなかった新規な効果を奏します。
【産業上の利用可能性】